(57)【要約】【課題】圧縮動画像データであるビットストリームを受信して再生する際に、再生品質を高める。【解決手段】３つのアンテナは、同一局を受信する。デマルチプレクサ１２０は、３つのアンテナが受信した映像信号に対してデマクス処理をし、３つのビットストリームと、各ビットストリームのエラー率を得る。デコーダ１３０は、各ビットストリームをデコードして３つの復号データを得ると共に、復号時に得たピクチャ毎のＢＥＲ（Ｂｉｔ  Ｅｒｒｏｒ  Ｒａｔｅ）値を得る。ＣＰＵ１５０は、デマルチプレクサ１２０が得たエラー率に基づいて伝送品質が所定の基準品質以上のビットストリームの復号データを選択し、選択した復号データに対して、デコーダ１３０からのＢＥＲ値に基づいて各ピクチャの伝送品質を求め、選択した復号データ間で互いに対応するピクチャの中から、伝送品質が最も高いピクチャを選択する。【選択図】図１
2009124217.tif 000002
【特許請求の範囲】
【請求項１】
圧縮動画像データである第１のビットストリームを受信する複数の受信部と、
前記複数の受信部各々が受信した前記第１のビットストリームを復号してそれぞれの復号データを得るデコーダと、
ピクチャ単位の伝送品質となる第１の伝送品質であって、各前記復号データ間で互いに対応する複数のピクチャの前記第１の伝送品質を比較し、該複数のピクチャの中から、前記第１の伝送品質が最も高いピクチャを選択するピクチャ選択部とを備えることを特徴とするビットストリーム処理装置。
【請求項２】
前記ピクチャ選択部は、前記デコーダが復号時に得たピクチャ毎のエラー率を前記第１の伝送品質を表す指標として用い、前記互いに対応する複数のピクチャの前記エラー率を比較し、該複数のピクチャの中から、前記エラー率が最も低いピクチャを選択することを特徴とする請求項１に記載のビットストリーム処理装置。
【請求項３】
前記第１のビットストリームは、ＭＰＥＧ（Ｍｏｔｉｏｎ  Ｐｉｃｔｕｒｅ  Ｅｘｐｅｒｔ  Ｇｒｏｕｐ）規格に準拠したものであり、
前記エラー率は、ＢＥＲ（ＢＥＲ：Ｂｉｔ  Ｅｒｒｏｒ  Ｒａｔｅ）値であることを特徴とする請求項２に記載のビットストリーム処理装置。
【請求項４】
前記ピクチャ選択部が選択したピクチャの伝送品質が所定の第１の基準品質以上であるときに該ピクチャが表示され、前記ピクチャの伝送品質が前記第１の基準品質未満であるときに該ピクチャが表示されないように制御を行う表示制御部をさらに備えることを特徴とする請求項１から３のいずれか１項に記載のビットストリーム処理装置。
【請求項５】
前記複数の受信部と前記デコーダとの間に設けられたデマルチプレクサをさらに備え、
前記複数の受信部は、多重化信号である第２のビットストリームを受信するものであり、
前記デマルチプレクサは、前記複数の受信部各々が受信した多重化信号に対してデマクス処理を行い、それぞれの前記第１のビットストリームを得て前記デコーダに供し、
前記ピクチャ選択部は、前記デマルチプレクサにより得られた前記第１のビットストリームのうちの、ビットストリーム単位の伝送品質である第２の伝送品質が所定の第２の基準品質以上を満たす第１のビットストリームに対応する前記復号データからピクチャを選択することを特徴とする請求項１から４のいずれか１項に記載のビットストリーム処理装置。
【請求項６】
前記ピクチャ選択部は、前記デマクス処理時に得たビットストリーム毎のエラー率を当該第１のビットストリームの前記第２の伝送品質を表す指標として用いることを特徴とする請求項５に記載のビットストリーム処理装置。
【請求項７】
複数の受信部各々により、同一の圧縮動画像データである第１のビットストリームを受信し、
前記複数の受信部各々が受信した前記第１のビットストリームを復号してそれぞれの復号データを得、
ピクチャ単位の伝送品質となる第１の伝送品質の比較により、各前記復号データ間で互いに対応する複数のピクチャの中から、前記第１の伝送品質が最も高いピクチャを選択することを特徴とするビットストリーム処理方法。
【請求項８】
前記複数の受信部が受信した前記第１のビットストリームのうちの、ビットストリーム単位の伝送品質となる第２の伝送品質に基づいて選択された第１のビットストリームを復号して前記それぞれの復号データを得ることを特徴とする請求項７に記載のビットストリーム処理方法。
【発明の詳細な説明】
【技術分野】
【０００１】
本発明は、ビットストリーム、具体的には圧縮画像データであるビットストリームの処理技術に関する。
【背景技術】
【０００２】
通常、動画像データは圧縮規格例えばＭＰＥＧ（Ｍｏｔｉｏｎ  Ｐｉｃｔｕｒｅ  Ｅｘｐｅｒｔ  Ｇｒｏｕｐ）により定められた圧縮方式で圧縮された状態で送受信または保存される。このような動画像データを再生する際に、復号処理を行う必要がある。ＭＰＥＧを例にして、圧縮動画像データであるビットストリームの再生について説明する。
【０００３】
図４は、ＭＰＥＧのビデオシーケンスの構成を示す。ＭＰＥＧにおいては、シーケンス層を最上位とする階層構造が採られ、シーケンスは複数のピクチャの集合であるＧＯＰ（Ｇｒｏｕｐ  ｏｆ  Ｐｉｃｔｕｒｅ）が繰り返し現れる。図示のように、ビデオシーケンスは、シーケンス開始コードとシーケンス終了コードの間に複数のＧＯＰが順次配列され、各ＧＯＰの先頭には、ランダム・アクセスのための頭出しなどに使われるＧＯＰヘッダが設けられている。
【０００４】
ＧＯＰ内には１つ以上のピクチャが格納される。これらのピクチャは、Ｉピクチャ、Ｐピクチャ、Ｂピクチャの３種類ある。
【０００５】
Ｉピクチャは、フレーム内符号化により生成された画像データであり、復号時にはＩピクチャ自身のデータのみで１つの画像が再構成される。
【０００６】
Ｐピクチャは、過去のフレーム（ＩピクチャまたはＰピクチャ）から予測したデータとの差分を符号化する前方参照符号化により生成された画像データであり、復号時には過去のＩピクチャまたはＰピクチャを参照する必要がある。
【０００７】
Ｂピクチャは、過去と未来両方のフレーム（ＩピクチャまたはＰピクチャ）から予測したデータとの差分を符号化する前方参照・後方参照符号化により生成された画像データであり、復号時には過去と未来両方のＩピクチャまたはＰピクチャを参照する必要がある。
【０００８】
ＭＰＥＧ方式のビットストリームの伝送中に、伝送環境などによりエラーが生じることがある。エラーのあるピクチャをそのままにして再生を行うと、再生された画像にノイズが発生するなど、表示画像の画質低下を招いてしまう問題がある。特に、前述したように、ＩピクチャとＰピクチャの場合は、復号に他のピクチャから参照されるので、ＩピクチャとＰピクチャに生じたエラーは自身のみならず、同じＧＯＰ内の他のピクチャないし次のＧＯＰの一部のピクチャにもそのエラーの影響が波及してしまうことがある。そのため、ＩピクチャとＰピクチャでエラーが生じた場合は、Ｂピクチャでエラーが生じた場合よりも再生画像の乱れが大きくなる。
【０００９】
ビットストリームにエラーが生じた場合に、そのエラーによる画質劣化を抑制する試みがなされている。たとえば、特許文献１には、ＭＰＥＧのビットストリームを復号する時にエラーを検出した場合に、エラー部分のデータを、同じビットストリームにおける他のピクチャの対応部分のデータで置き換える手法が開示されている。
【特許文献１】特開平８−１５４２４７号公報
【発明の開示】
【発明が解決しようとする課題】
【００１０】
近年、地上デジタル放送の普及と移動端末の性能向上により、屋内に設置された固定端末のみならず、移動端末によりテレビ放送を受信することもなされている。特に移動端末で受信する場合、フェージングやマルチパスの影響で、良好な受信ができず、受信したデータにエラーが生じやすい傾向がある。
【００１１】
特許文献１の手法は、エラーを検出した際にエラー部分のデータを同じビットストリームにおける他のピクチャのデータで置き換えるようにしている。しかし、移動端末で受信する場合などこのビットストリーム全般の受信品質が悪い場合には、他のピクチャのデータも良好であるとは限らず、再生画像の画質改善効果が限られている。また、ピクチャの一部を他のピクチャの一部で置き換えること自身も、画像に不自然さを与えてしまうなどの可能性がある。
【課題を解決するための手段】
【００１２】
本発明の一つの態様は、圧縮動画像データであるビットストリーム処理装置である。このビットストリーム処理装置は、複数の受信部と、デコーダと、ピクチャ選択部を備える。
【００１３】
複数の受信部は、圧縮動画像データである第１のビットストリームを受信し、デコーダは、該複数の受信部各々が受信した第１のビットストリームを復号してそれぞれの復号データを得る。
【００１４】
ピクチャ選択部は、各前記復号データ間で互いに対応する複数のピクチャの第１の伝送品質を比較し、該複数のピクチャの中から、第１の伝送品質が最も高いピクチャを選択する。この「第１の伝送品質」は、ピクチャ単位の伝送品質である。
【００１５】
なお、上記装置を方法やシステム、プログラムに置き換えて表現したものも、本発明の態様として有効である。
【発明の効果】
【００１６】
本発明にかかる技術によれば、圧縮された動画像データであるビットストリームを受信して再生する際に、再生品質を高めることができる。
【発明を実施するための最良の形態】
【００１７】
以下、図面を参照して本発明の実施の形態について説明する。
＜第１の実施の形態＞
【００１８】
図１は、本発明の第１の実施の形態にかかる映像受信システム１００を示す。映像受信システム１００は、デジタル放送信号を受信するものであり、複数のアンテナ（図示の例では３つ：アンテナ１１０Ａ、１１０Ｂ、１１０Ｃ）と、デマルチプレクサ１２０と、デコーダ１３０と、メモリ１４０と、ＣＰＵ（Ｃｅｎｔｒａｌ  Ｐｒｏｃｅｓｓｉｎｇ  Ｕｎｉｔ）１５０と、映像処理部１６０と、表示部１７０を備える。なお、本発明の主旨が分かりやすいように、以下の説明においては、映像以外の例えば音声処理を担う部分など、デジタル放送の受信装置に通常備えられる部分を一部省略している。また、図１において、細線の矢印は映像データの流れを示し、太線の矢印は制御信号など他のデータの流れを示す。
【００１９】
アンテナ１１０Ａ〜１１０Ｃは、多重化信号である放送信号を受信するものであり、同一局を受信する。例として、この多重化信号は、ＭＰＥＧ−２システム規格に準拠し、圧縮された映像を多重化したものである。
【００２０】
デマルチプレクサ１２０は、複数チャネルの信号を並行してデマクス処理できるものである。図１においては、デマルチプレクサ１２０は、アンテナ１１０Ａ〜１００Ｃが受信した多重化信号をそれぞれデマクスして、３つのビットストリームをそれぞれ得る。デマルチプレクサ１２０により得られたビットストリームは、圧縮された動画像であり、ＭＰＥＧ−２規格に準拠する。
【００２１】
ここで、ＭＰＥＧ−２システムについて簡単に説明する。
【００２２】
ＭＰＥＧ−２システムでは、圧縮された映像や音声はＥＳ（Ｅｌｅｍｅｎｔａｒｙ  Ｓｔｒｅａｍ：エレメンタリストリーム）と呼ばれ、ＥＳを適当な大きさに分割してパケット化したものはＰＥＳ（Ｐａｃｋｅｔｉｚｅｄ  Ｅｌｅｍｅｎｔａｒｙ  Ｓｔｒｅａｍ）と呼ばれる。また、ＭＰＥＧ−２システムでは、ＥＳの分割単位について詳しく定義していないが、通常、映像についてはピクチャ単位で分割される。
【００２３】
ＭＰＥＧ−２システムにおいて、ＰＥＳを多重化して伝送または蓄積する形式について、ＰＳ（プログラムストリーム）とＴＳ（トランスポートストリーム）の２種類が定義されている。ＰＳは、単一のプログラムを、蓄積メディアなどエラーの可能性が低い環境で取り扱うことを想定した形式であり、ＴＳは、同時に１つ以上のプログラムを、エラーが発生しうる環境で取り扱うことを想定した形式である。通常、デジタル放送ではＴＳが採用される。
【００２４】
ＴＳの場合、ＰＥＳパケットをトランスポートパケット（ＴＳパケット）に分割し、このトランスポートが連続してトランスポートストリームを構成する。各ＴＳパケットにはＰＩＤと呼ばれるパケット識別子が含まれており、同一のピクチャは同じＰＩＤを持つ。そのため、受信側でのデマクス処理時には、このＰＩＤを参照して、トランスポートストリームを元のエレメンタリストリームに戻すことができる。
【００２５】
また、各トランスポートパケットのヘッダには、同一のＰＩＤ内において値が１ずつインクリメントするｃｏｎｔｉｎｕｉｔｙ＿ｃｏｕｎｔｅｒという４ビットのカウンタがあり、受信側でデマクス処理時に、このカウンタの不連続性を検出することでトランスポートストリームのロスパケット数を累積し、トランスポートストリームのエラー率を得る。このエラー率は、トランスポートストリームの伝送品質を示すことができる。
【００２６】
デマルチプレクサ１２０は、アンテナ１１０Ａ〜１１０Ｃがそれぞれ受信したトランスポートストリームＴＳ−Ａ、ＴＳ−Ｂ、ＴＳ−Ｃに対してデマクス処理を行って、３つのエレメンタリストリームＥＳ−Ａ、ＥＳ−Ｂ、ＥＳ−Ｃを得る。デマルチプレクサ１２０は、この３つのエレメンタリストリームをデコーダ１３０に出力すると共に、デマクス処理時に得たストリーム毎のエラー率をＣＰＵ１５０に出力する。
【００２７】
デコーダ１３０は、３つのエレメンタリストリームをデコードし、それぞれのエレメンタリストリームの復号データを得る。また、デコーダ１３０は、デコード時に得た各ピクチャのエラー率をＣＰＵ１５０に出力する。このエラー率は、ＢＥＲ（Ｂｉｔ  Ｅｒｒｏｒ  Ｒａｔｅ）値である。デコーダ１３０により得られたピクチャ毎のエラー率と、デマルチプレクサ１２０により得られたストリーム毎のエラー率とを区別するために、以下デコーダ１３０により得られたピクチャ毎のエラー率をＢＥＲ値といい、デマルチプレクサ１２０により得られたストリーム毎のエラー率を単にエラー率という。
【００２８】
ＣＰＵ１５０は、ピクチャ選択部１５２と表示制御部１５４の機能を備える。ピクチャ選択部１５２は、まず、デマルチプレクサ１２０により得られたエラー率に基づいて、該エラー率が所定の基準品質を表す第１の閾値以下、すなわち伝送品質が基準品質以上であるエレメンタリストリームの復号データのみを選択してメモリ１４０に格納する。図１に示す例では、３つのエレメンタリストリームＥＳ−Ａ、ＥＳ−Ｂ、ＥＳ−Ｃのうちの２つのエレメンタリストリームのみ、それらの復号データが選択されメモリ１４０に格納される。また、説明上の便宜のため、例として、ＥＳ−ＡとＥＳ−Ｂの復号データが選択されたとする。
そして、ピクチャ選択部１５２は、ビットストリームＥＳ−Ａの復号データに含まれるピクチャ毎に、該ピクチャに対応した、ビットストリームＥＳ−Ｂの復号データに含まれるピクチャとの伝送品質を比較する。２つのビットストリーム間で互いに対応するピクチャとは、同じＰＩＤを有するピクチャである。
【００２９】
伝送品質の比較に当たっては、デコーダ１３０からのＢＥＲ値が用いられる。ピクチャのＢＥＲ値は、ピクチャの伝送品質を示す指標として用いることができ、ＢＥＲ値が大きいほど該ピクチャの伝送品質が低い。ピクチャ選択部１５２は、相対応するピクチャのＢＥＲ値を比較し、ＢＥＲ値が最も低いすなわち伝送品質が最も高いピクチャを選択する。
【００３０】
図２を参照して、ピクチャ選択部１５２による選択動作をより具体的に説明する。
図２において、デマルチプレクサ１２０からのエラー率に基づいてピクチャ選択部１５２が選択した復号データに対応するエレメンタリストリーム（ＥＳ−Ａ、ＥＳ−Ｂ）の構成を示している。この２つのエレメンタリストリームは、符号化された動画像であり、ＥＳ−Ａは、アンテナ１１０Ａが受信したトランスポートストリームＴＳ−Ａがデマクス処理により分離化されたものであり、ＥＳ−Ｂは、アンテナ１１０Ｂが受信したトランスポートストリームＴＳ−Ｂがデマクス処理により分離化されたものである。ＥＳ−ＡとＥＳ−Ｂは、ＭＰＥＧ規格に準拠するため、図示のように、Ｉピクチャ、Ｂピクチャ、Ｐピクチャが再生時間順に配列してなる。なお、図２において、四辺形によりピクチャを表しており、太線四辺形がＥＳ−Ａのピクチャを表し、細線四辺形がＥＳ−Ｂのピクチャを表す。
【００３１】
図２の下部において、選択されたピクチャと、エレメンタリストリームＥＳ−ＡとＥＳ−Ｂのピクチャとの対応関係を示している。図示の例では、再生時間帯Ｔ１、Ｔ４、Ｔｎについて、ビットストリームＥＳ−ＡにおけるＩピクチャ「Ｉ」、Ｐピクチャ「Ｐ１」、Ｐピクチャ「Ｐｘ」が選択され、再生時間帯Ｔ２、Ｔ３については、ビットストリームＥＳ−ＢにおけるＢピクチャ「Ｂ１'」、Ｂピクチャ「Ｂ２'」が選択されている。なお、同じ再生時間帯に対応するピクチャは、本明細書中でいう「互いに対応するピクチャ」すなわち「同じＰＩＤを有するピクチャ」である。
【００３２】
同じＰＩＤを有する２つのピクチャの伝送品質が同じであるときには、いずれのピクチャを選択してもよい。例えば、デコーダ１３０に先に入力されたビットストリームのほうのピクチャを選択するなど、いずれのピクチャを選択するかはシステム設計者に委ねることができる。
【００３３】
表示制御部１５４は、ピクチャ選択部１５２が選択したピクチャを表示させるか否かを制御する。具体的には、ピクチャ選択部１５２が選択したピクチャのＢＥＲ値を確認し、該ＢＥＲ値が所定の基準品質を表す第２の閾値以下、すなわち該ピクチャの伝送品質が基準品質以上であるとき、該ピクチャを示す信号（以下選択信号という）を映像処理部１６０に出力する。一方、ピクチャ選択部１５２が選択したピクチャの伝送品質が基準品質未満であるときに、表示制御部１５４は、このピクチャを表示しないことを示す信号を映像処理部１６０に出力する。
【００３４】
映像処理部１６０は、ＣＰＵ１５０具体的には表示制御部１５４からの信号に従い、選択信号が示すピクチャについては該ピクチャを読み出して映像処理を行って表示部１７０に表示させる。映像処理に際して、ＣＰＵ１５０からの信号が「表示しない」ことを示すピクチャについて、該ピクチャが表示されないように、その直前のピクチャを参照する。
【００３５】
図３は、映像受信システム１００において行われる処理の流れを示すフローチャートである。図示のように、３つのアンテナ１１０Ａ〜１１０Ｃが同一局の放送信号をそれぞれ受信してトランスポートストリームＴＳ−ＡとＴＳ−Ｂを得る（Ｓ１００）。
【００３６】
デマルチプレクサ１２０は、トランスポートストリームＴＳ−Ａ、ＴＳ−Ｂ、ＴＳ−Ｃに対してデマクス処理を行って、エレメンタリストリームＥＳ−Ａ、ＥＳ−Ｂ、ＥＳ−Ｃを得ると共に、ストリーム毎のエラー率を得る（Ｓ１０４）。デマルチプレクサ１２０は、３つのエレメンタリストリームをデコーダ１３０に出力し、エラー率をＣＰＵ１５０に出力する。
【００３７】
デコーダ１３０は、３つのエレメンタリストリームをデコードしてそれぞれの復号データを得ると共に、復号時に得たピクチャ毎のＢＥＲ値をＣＰＵ１５０に出力する（Ｓ１０６）。
【００３８】
ＣＰＵ１５０におけるピクチャ選択部１５２は、まず、デマルチプレクサ１２０からのエラー率が第１の閾値以下であるエレメンタリストリームの復号データを選択してメモリ１４０に格納する（Ｓ１０８）。
【００３９】
次にピクチャ選択部１５２は、メモリ１４０に格納された復号データに対して、デコーダ１３０からのＢＥＲ値に応じて、同じＰＩＤを有するピクチャのうちの、伝送品質が最も高いピクチャを選択する（Ｓ１１０）。なお、同じＰＩＤを有する全てのピクチャの伝送品質が同じであるときには、システム設計で定められたほうのピクチャを選択する。
【００４０】
ピクチャ選択部１５２は、同じＧＯＰ内のすべてのピクチャに対して上記選択が終るまでステップＳ１１０の選択を行う（Ｓ１１４：Ｙｅｓ、Ｓ１１０〜）。
【００４１】
同じＧＯＰ内の最後のピクチャの選択が終了する（Ｓ１１４：Ｎｏ）と、ＣＰＵ１５０における表示制御部１５４は、ピクチャ選択部１５２により選択された各ピクチャのＢＥＲ値を確認し（Ｓ１１８）、ＢＥＲ値が第２の閾値以下のピクチャについては、該ピクチャを示す選択信号を映像処理部１６０に出力する（Ｓ１１８：Ｎｏ、Ｓ１２０）一方、それ以外のピクチャについては、「表示しない」ことを示す信号を映像処理部１６０に出力する（Ｓ１１８：Ｙｅｓ、Ｓ１２４）。
【００４２】
映像処理部１６０は、表示制御部１５４からの選択信号が示すピクチャについては該ピクチャを読み出して映像処理を行って表示部１７０に表示させる（Ｓ１３０、Ｓ１４０、Ｓ１５０）。なお、ステップＳ１４０の映像処理に際して、表示制御部１５４からの信号が「表示しない」ことを示すピクチャについて、該ピクチャが表示されないように、その直前のピクチャを参照する。
【００４３】
このように、本実施の形態の映像受信システム１００は、デジタル放送の同一局の放送信号を３つのアンテナでそれぞれ受信し、受信した３つのトランスポートストリームをデマクスして得たエレメンタリストリームから選択されたエレメンタリストリームの復号データに対して、ピクチャ単位の伝送品質を用いて、同じＰＩＤを有するピクチャのうちの、伝送品質の高いほうのピクチャを選択して表示に供する。こうすることによって、同じエレメンタリストリーム内の他のピクチャのデータでエラーが生じたピクチャのデータを置き換える従来の手法より、高品質の映像を得ることができる。
【００４４】
また、ピクチャを選択する前に復号データを選択する際に、エレメンタリストリーム単位の伝送品質に基づいて、基準品質に達したエレメンタリストリームのみ、それらの復号データを選択する。こうすることによって、全体的に伝送品質が低いトランスポートストリームの復号データを、ピクチャが選択される復号データから除外されるので、ピクチャを選択する際の選択対象を減らすことができ、効率の良い処理を図ることができると共に、選択されるピクチャの品質をより保証することができる。
【００４５】
また、ＧＯＰ単位で伝送品質を比較して互いに対応するＧＯＰから表示用のＧＯＰを選択する方法も考えられるが、ＧＯＰ全般的に伝送品質が悪くてもその中のすべてのピクチャの伝送品質が悪いとは限らない。そのため、ピクチャ単位で伝送品質の比較と選択を行う本実施の形態の映像受信システム１００は、ＧＯＰ単位で伝送品質の比較と選択を行う方法よりも、高品質の映像を得ることができる。
＜第２の実施の形態＞
【００４６】
本発明の第２の実施の形態は、図１に示す映像受信システム１００に対して、デコーダ１３０の処理時に、ＢＥＲ値が所定の閾値（前述した第２の閾値）より高いピクチャが検出された際に、該ピクチャを破棄してメモリ１４０に格納しないようにしたものである。すなわち、メモリ１４０に格納されたピクチャは、表示用に使える伝送品質を有するピクチャである。こうすることによって、ＣＰＵ１５０におけるピクチャ選択部１５２は、同じＰＩＤを有するピクチャがメモリ１４０に複数ある場合には、伝送品質の高い方を選択し、１つしかない場合には、伝送品質の比較をせずに、この１つのピクチャを選択する。また、選択されたピクチャについて、表示制御部１５４は、その伝送品質を確認する必要がない。
【００４７】
この映像受信システムによれば、伝送品質の低いピクチャはメモリに格納されないので、使用するメモリの容量を削減することができる。また、ＣＰＵが処理するデータの量を減らすことができるので、ＣＰＵにかかる負担も軽減することができる。
【００４８】
以上、実施の形態をもとに本発明を説明した。実施の形態は例示であり、本発明の主旨から逸脱しない限り、さまざまな変更、増減を加えてもよい。これらの変更、増減が加えられた変形例も本発明の範囲にあることは当業者に理解されるところである。
【図面の簡単な説明】
【００４９】
【図１】本発明の第１の実施の形態にかかる映像受信システムを示す図である。
【図２】図１に示す映像受信システムによるピクチャの選択を説明するための図である。
【図３】図１に示す映像受信システムが行う処理の流れを示すフローチャートである。
【図４】ＭＰＥＧ形式のビットストリームのビデオシーケンスを示す図である。
【符号の説明】
【００５０】
１００    映像受信システム
１１０Ａ  アンテナ
１１０Ｂ  アンテナ
１１０Ｃ  アンテナ
１２０  デマルチプレクサ
１３０  デコーダ
１４０  メモリ
１５０  ＣＰＵ
１５２  ピクチャ選択部
１５４  表示制御部
１６０  映像処理部
１７０  表示部
【図１】
2009124217.tif 000003
【図２】
2009124217.tif 000004
【図３】
2009124217.tif 000005
【図４】
2009124217.tif 000006